(57)【要約】【課題】  除霜用の移動ユニットに、発熱部による発熱を熱交換器に伝熱する伝熱部材を備えて除霜できるようにした空気調和機の室外機を提供する。【解決手段】  底板上に圧縮機と熱交換器とが配置され、前記熱交換器の除霜をする移動ユニット６が設けられてなる空気調和機の室外機であって、前記移動ユニット６が、前記熱交換器に当接する伝熱ブラシ７と、発熱部１６による熱を前記伝熱ブラシ７に伝熱する伝熱部材１７とを備えた除霜部８と、同除霜部８を上下に移動させる駆動部９および移動可能に支持する支持部１０とからなる構成にした。【選択図】  図２
2009014265.tif 000002
【特許請求の範囲】
【請求項１】
底板上に圧縮機と熱交換器とが配置され、発熱部の発熱により前記熱交換器の除霜をする移動ユニットが設けられてなる空気調和機の室外機であって、
前記移動ユニットが、前記熱交換器に当接する伝熱体と、前記発熱部による熱を前記伝熱体に伝熱する伝熱部材とを備えた除霜部と、同除霜部を上下に移動させる駆動部および移動可能に支持する支持部とからなることを特徴とする空気調和機の室外機。
【請求項２】
前記伝熱体が伝熱ブラシからなることを特徴とする請求項１に記載の空気調和機の室外機。
【請求項３】
前記移動ユニットは、前記熱交換器の下端部近傍に所定の時間停止することを特徴とする請求項１または請求項２に記載の空気調和機の室外機。
【発明の詳細な説明】
【技術分野】
【０００１】
本発明は、空気調和機の室外機に係わり、より詳細には、熱交換器の広い範囲を効果的に除霜できるようにした構造に関する。
【背景技術】
【０００２】
従来の空気調和機の室外機に関し、特開平１０−２４６４７１号公報に記載されているように、室外熱交換器に付着した霜を除去する除去構造として、図６乃至図８に示すような室外機の枠体ａの中に圧縮機ｂと室外熱交換器ｃとキャピラリｄと四方弁ｅとを備え、室外熱交換器ｃのある送風路ｆには送風機ｇを設け、送風路ｆと圧縮機ｂなどの機構部との間に仕切板ｈを設けたものがある。暖房運転時には圧縮機ｂで加圧されて高温になった冷媒は室内熱交換器ｉで放熱して液化し、該液状冷媒はキャピラリｄを介して室外熱交換器ｃに流入し、気化して送風路ｆを流れる空気を冷却する。運転時に発熱を伴う圧縮機ｂもしくは圧縮機ｂの吐出パイプｊには放熱板ｋの一端ｋａが取り付けられ、該放熱板ｋの他端ｋｂ，ｋｂ’は室外熱交換器ｃの枠体ｌもしくは放熱フィンｍに向けて固定しており、この放熱板ｋの他端ｋｂ，ｋｂ’が固定された位置は除霜運転終了時の室外熱交換器ｃに残る氷が付着する部分である。この構造によって、圧縮機ｂの熱が室外熱交換器ｃに伝熱するため暖房運転中は霜付きの抑制となり、除霜運転時に室外熱交換器ｃに付着した霜を溶かすものが知られている（例えば、特許文献１参照。）。
【０００３】
このものにおいて、上述したように、放熱板ｋの他端ｋｂ，ｋｂ’は室外熱交換器ｃの枠体ｌもしくは放熱フィンｍに向けて固定されており、この放熱板ｋの他端ｋｂ，ｋｂ’が固定された位置は、除霜運転終了時の室外熱交換器ｃに残る氷が付着する部分であって、圧縮機ｂで発熱した熱を、室外熱交換器ｃに固定された放熱板ｋの他端ｋｂ，ｋｂ’の近傍である限られた範囲に伝熱することによって除霜を行える構成になっていた。
【０００４】
このように、室外熱交換器ｃの全体にわたって圧縮機ｂの熱を伝熱して除霜する構成にはなっていないことから、室外熱交換器ｃの全体に付着した霜は、上述した放熱板ｋからの伝熱によって効果的に除霜するのが困難であった。
【特許文献１】特開平１０−２４６４７１号公報
【発明の開示】
【発明が解決しようとする課題】
【０００５】
そこで、本発明は上述した課題を解決するためになされたものであって、熱交換器の広い範囲を効果的に除霜できるようにした空気調和機の室外機を提供することを目的とする。
【課題を解決するための手段】
【０００６】
上述した目的を達成するため、本発明は以下に示す特徴を備えている。
【０００７】
底板上に圧縮機と熱交換器とが配置され、発熱部の発熱により前記熱交換器の除霜をする移動ユニットが設けられてなる空気調和機の室外機であって、
前記移動ユニットが、前記熱交換器に当接する伝熱体と、前記発熱部による熱を前記伝熱体に伝熱する伝熱部材とを備えた除霜部と、同除霜部を上下に移動させる駆動部および移動可能に支持する支持部とからなることを特徴としている。
【０００８】
また、前記伝熱体が伝熱ブラシからなることを特徴としている。
【０００９】
また、前記移動ユニットは、前記熱交換器の下端部近傍に所定の時間停止することを特徴としている。
【発明の効果】
【００１０】
本発明によれば、熱交換器の広い範囲を効果的に除霜できるようにした空気調和機の室外機を提供できる。
【発明を実施するための最良の形態】
【００１１】
次に、本発明の実施形態について図面を参照しながら説明する。
【００１２】
図１は本発明による空気調和機の室外機の内部構造を示す斜視図であり、図２は本発明による空気調和機の室外機の要部説明図で、図２（Ａ）は斜視図、図２（Ｂ）は側面図であり、図３は本発明による空気調和機の室外機の要部説明図で、図３（Ａ）は斜視図、図３（Ｂ）は図３（Ａ）に示すＡ−Ａ断面図の一例を、図３（Ｃ）は他の例を示す図であり、図４は本発明による空気調和機の室外機の要部説明図で、図４（Ａ）は斜視図、図４（Ｂ）は側面図であり、図５は本発明による空気調和機の室外機の要部説明図で、図５（Ａ）は分解斜視図、図５（Ｂ）は図５（Ａ）に示すｂ矢視図である。
【００１３】
本発明による空気調和機の室外機は、図１に示すように、底板１の上部が、同底板１の上部に立設された仕切板２により圧縮機室と熱交換器室とに区画され、前記圧縮機室に圧縮機５が設けられるとともに、同圧縮機５の上部に電装部１２が設けられ、前記熱交換器室に平面視でＬ字状に形成された熱交換器３と、同熱交換器３の長辺部に対向させた送風ファン４とが設けられている。
【００１４】
前記熱交換器３は、等間隔で平行に並べられた放熱用の多数のフィン３ａと、これに直交して冷媒を流通させる伝熱管３ｂとからなる構成になっている。
【００１５】
前記底板１には、前記熱交換器３を臨ませて外気を吸い込む図示しない吸込口を備えた外胴１３が被着され、同外胴１３の上面部は天板１４によってカバーされるとともに、前記送風ファン４を臨ませた前面部には、前記熱交換器３で熱交換された空気を吐き出す吐出口を構成する前面パネル１５が設けられている。
【００１６】
前記底板１は、その四側に上方に立設したフランジ１ａが一体的に成形されており、これによって強度が増強されるとともに、前記熱交換器３から滴下したドレン水が周囲に流出することなく、図示しない排水口に導かれて排水されるようになっている。
【００１７】
前記天板１４は、その四側に下方に垂下したフランジ１４ａが一体的に成形されており、これによって強度が増強されるとともに、前記外胴１３および前記前面パネル１５の上端縁を前記フランジ１４ａに沿わせることで容易に、且つ正確に位置合わせすることができるようになっている。
【００１８】
前記熱交換器３は、霜が付着することにより通風抵抗の原因になることによって、同熱交換器３としての性能を低下させてしまうおそれがあったり、また、前記吸込口から吸い込まれる外気中に含まれた塵埃の一部が付着することによって、同熱交換器３としての性能を低下させてしまうおそれがあることから、同熱交換器３に付着した霜や塵埃を除去できるようにするための移動ユニット６が移動可能に設けられている。
【００１９】
次に、前記移動ユニット６の構成について、図２乃至図５に基づいて詳細に説明する。
【００２０】
前記移動ユニット６は、前記熱交換器３に当接させて後述する発熱部による熱を伝熱する伝熱体として伝熱ブラシ７を用いることで、前記熱交換器３の除霜を行えるとともに、同熱交換器３に付着した塵埃を除去した後、集めた塵埃を外部に排出できるようになっている。
【００２１】
すなわち、前記移動ユニット６は、前記熱交換器３を構成するフィン３ａおよび伝熱管３ｂに付着した塵埃や霜を取り除く金属糸からなる伝熱ブラシ７を植設した伝熱部材１７を有する除霜部８と、同除霜部８を下方および上方に移動させる駆動部９と、下方および上方に移動可能に支持する支持部１０と、前記伝熱ブラシ７で取り除かれた塵埃を外部に排出する排出部１１とからなる構成になっている。
【００２２】
前記排出部１１は、前記底板１の一部を上方に膨出するように形成した膨出部１ｂに設けられており、これにより、前記熱交換器３から前記膨出部１ｂに滴下した凝縮水は、図２（Ｂ）に示す矢印ｅのように前記底板１上に流れて図示しない排水口に向かうようになる。
【００２３】
伝熱性を有する前記伝熱部材１７は、図２（Ａ）に示すようにヒータ１６からなる発熱部が伝熱的に接続されることで、同ヒータ１６による発熱を順次金属糸からなる前記伝熱ブラシ７に伝熱する構成になっている。
【００２４】
これにより、塵埃や霜が付着している前記熱交換器３の表面に前記伝熱ブラシ７が当接し、且つ同熱交換器３に沿って移動することによって除霜できるとともに、除塵もできるようにした構成になっている。
【００２５】
前記伝熱部材１７に植設した伝熱ブラシ７は、一例として図３（Ｂ）に示すように、弾力性に富む太ブラシ７ａと柔軟性を有する細ブラシ７ｂとを組み合わせた構成にすることにより、前記フィン３ａおよび前記伝熱管３ｂに付着した霜や塵埃を効果的に取り除くことができるようになる。
【００２６】
または、他の例として図３（Ｃ）に示す伝熱ブラシ７’のように、矢印の方向に回転させながら下降させることによって、前記フィン３ａおよび前記伝熱管３ｂに付着した霜や塵埃を取り除くことができるようにしてもよい。
【００２７】
前記駆動部９は、図２（Ａ）と、図４（Ａ）および図４（Ｂ）とに示すように、前記熱交換器３の上端部近傍に設けられ図示しない駆動モータを収容した駆動ケース９ａと、同駆動ケース９ａ内の駆動モータに連結されたスプロケット９ｂと、前記底板１の近傍に設けられたプーリィ９ｃと、これらスプロケット９ｂおよびプーリィ９ｃの間に掛け渡されたベルト９ｄとで構成されている。
【００２８】
前記ベルト９ｄには、取付部Ａによって、前記スプロケット９ｂを図４（Ｂ）に示す矢印ａ’方向に駆動することで前記除霜部８が矢印ａのように下降可能に、また、前記スプロケット９ｂを逆方向に駆動することで上昇可能に、前記除霜部８が取り付けられている。
【００２９】
前記移動ユニット６は、前記熱交換器３の風下側となる内側のスペースであって前記送風ファン４側に設けられることで、室外機を大型化させることがないようにして、前記熱交換器３のフィン３ａに沿って上下方向に移動可能に付設された構成になっている。
【００３０】
これにより、前記伝熱ブラシ７は前記熱交換器３の風下側から対向させた構成で、同伝熱ブラシ７の先端部が平行に並べられた多数の前記フィン３ａの間に深く入り込んで移動することにより、同フィン３ａおよびこれに直交する前記伝熱管３ｂに付着した霜や塵埃を取り除きながら、前記底板１の上部に集塵する機能を有している。
【００３１】
前記駆動部９は、室外機または同室外機が接続された室内機の所定の積算運転時間毎に前記駆動モータを駆動し、前記ベルト９ｄに駆動力を伝達して前記除霜部８および同除霜部８内の伝熱部材１７に植設された前記伝熱ブラシ７を移動させるようにしている。
【００３２】
これによって、上述した所定の積算運転時間が経過する毎に、前記駆動部９によって移動させる前記除霜部８内の伝熱部材１７に植設された前記伝熱ブラシ７で、前記熱交換器３に付着した霜や塵埃を取り除くことができるようにしている。
【００３３】
また、前記排出部１１は、前記伝熱部材１７に植設された伝熱ブラシ７に対応して前記底板１に設けられ、前記除霜部８の下降時に開放され、上昇時に閉塞される枢支部１１ｃを有する開閉蓋１１ｂを備えた排出口１１ａからなる構成になっている。
【００３４】
前記除霜部８および前記伝熱部材１７に植設された伝熱ブラシ７が前記熱交換器３に付着した霜や塵埃を取り除きながら、前記熱交換器３の下端部近傍に下降した際、前記開閉蓋１１ｂを開かせることによって、前記排出口１１ａから外部に排出できるようになる。
【００３５】
また、前記移動ユニット６が、前記熱交換器３の下端部近傍に下降した後、同熱交換器３の上端部近傍の所定位置に戻った際、前記送風ファン４を所定の時間駆動させるようにした構成になっている。
【００３６】
これによって、前記熱交換器３の表面にわずかに取り残されて、同熱交換器３から離脱しそうになっている塵埃を、前記送風ファン４によって前記吐出口から吐き出される吐出空気流といっしょに外部に吐き出せるようになる。
【００３７】
前記支持部１０は、図５（Ａ）および図５（Ｂ）に示すように、前記除霜部８に設けられたガイドローラ８ｂを下方に、または上方に導くことができるローラガイド１０ａからなり、前記除霜部８を前記熱交換器３に沿って下降させ、または上昇させることができるように支持している。
【００３８】
なお、前記ガイドローラ８ｂは、小径部と大径部とを備えた構成になっており、前記ローラガイド１０ａは、前記小径部に対応するスリット部と、前記大径部を上下動可能に収容する収容部とを備えた構成になっている。
【００３９】
なお、前記移動ユニット６は、図３（Ｂ）に示すように、前記熱交換器３の上端部近傍の所定位置に停止した際、前記天板１４およびその四側から垂下されたフランジ１４ａによってカバーされることから、前記吸込口から吸い込まれる外気が直接当たりにくくなって、前記熱交換器３に向かう空気流に対する空気抵抗になってしまうということがなくなる。
【００４０】
次に、上述した移動ユニット６の構成に基づいて、同移動ユニット６の動作について説明する。
【００４１】
室外機および同室外機に接続された室内機の運転停止時および運転時で、前記熱交換器３の清掃や除霜を行なわない場合、前記移動ユニット６は前記熱交換器３の上端部近傍の所定位置に停止している。
【００４２】
前記移動ユニット６は、室外機および同室外機に接続された室内機の上述した積算運転時間毎に、前記駆動部９によって駆動され前記熱交換器３に沿って下降した前記除霜部８内の伝熱部材１７に植設された前記伝熱ブラシ７で、同熱交換器３に付着した霜や塵埃を取り除くことになる。
【００４３】
前記開閉蓋１１ｂは、図２（Ｂ）に示す矢印ａのように、前記駆動部９によって駆動され前記除霜部８が下降した際、同除霜部８の下部に突設された押圧体８ａで押圧されることにより、前記枢支部１１ｃに設けられた付勢ばね１１ｄによる矢印ｂに示す付勢力に抗して、矢印ｃのように下方に押し開かれることにより、前記排出口１１ａを開放して、同排出口１１ａから前記伝熱ブラシ７で取り除かれた前記熱交換器３に付着していた塵埃を、矢印ｄのように外部に排出する。
【００４４】
前記熱交換器３から霜や塵埃を取り除いた前記除霜部８は、上方に移動して前記熱交換器３の上端部近傍の所定位置に停止するとともに、前記押圧体８ａで前記開閉蓋１１ｂが押圧されることによって開放されていた前記底板１の排出口１１ａは、前記付勢ばね１１ｄによる付勢力により、前記枢支部１１ｃを中心に回動する前記開閉蓋１１ｂよって閉塞される。
【００４５】
前記除霜部８が前記熱交換器３の上端部近傍の所定位置に停止した後、前記送風ファン４が所定の時間駆動され、前記熱交換器３に取り残されていた塵埃を前記吐出口から吐き出した後に停止する。
【００４６】
以上説明したように、本構成によれば、前記熱交換器３に霜が付着することによって熱交換器３としての性能を低下させてしまうおそれがないようにし、また、前記移動ユニット６の除霜部８は、前記吸込口から吸い込まれる外気中に含まれた塵埃の一部を付着させないように前記フランジ１４ａを備えた天板１４で覆うようにし、自動的に前記熱交換器３の清掃を行って、同熱交換器３から取り除いた塵埃を外部に排出できるようにした空気調和機の室外機となる。
【図面の簡単な説明】
【００４７】
【図１】本発明による空気調和機の室外機の内部構造を示す斜視図である。
【図２】本発明による空気調和機の室外機の要部説明図で、図２（Ａ）は斜視図であり、図２（Ｂ）は側面図である。
【図３】本発明による空気調和機の室外機の要部説明図で、図３（Ａ）は斜視図であり、図３（Ｂ）は図３（Ａ）に示すＡ−Ａ断面図の一例を示し、図３（Ｃ）は他の例を示す。
【図４】本発明による空気調和機の室外機の要部説明図で、図４（Ａ）は斜視図であり、図４（Ｂ）は側面図である。
【図５】本発明による空気調和機の室外機の要部説明図で、図５（Ａ）は分解斜視図であり、図５（Ｂ）は図５（Ａ）に示すｂ矢視図である。
【図６】従来例による空気調和機の室外機徐霜構造を示す室外機と室内機の断面図である。
【図７】従来例による空気調和機の室外機の縦断面図である。
【図８】従来例による空気調和機の室外機の実施例を示す斜視図である。
【符号の説明】
【００４８】
１  底板
１ａ  フランジ
１ｂ  膨出部
２  仕切板
３  熱交換器
３ａ  フィン
３ｂ  伝熱管
４  送風ファン
５  圧縮機
６  移動ユニット
７  伝熱ブラシ
７ａ  太ブラシ
７ｂ  細ブラシ
８  除霜部
８ａ  押圧体
８ｂ  ガイドローラ
９  駆動部
９ａ  ケース
９ｂ  スプロケット
９ｃ  プーリィ
９ｄ  ベルト
１０  支持部
１０ａ  ローラガイド
１１  排出部
１１ａ  排出口
１１ｂ  開閉蓋
１１ｃ  枢支部
１１ｄ  付勢ばね
１２  電装部
１３  外胴
１４  天板
１４ａ  フランジ
１５  前面パネル
１６  ヒータ
１７  伝熱部材
【図１】
2009014265.tif 000003
【図２】
2009014265.tif 000004
【図３】
2009014265.tif 000005
【図４】
2009014265.tif 000006
【図５】
2009014265.tif 000007
【図６】
2009014265.tif 000008
【図７】
2009014265.tif 000009
【図８】
2009014265.tif 000010